(57)【特許請求の範囲】
【請求項１】
シャンプーボールの後方にシャワーヘッドと、該シャワーヘッドに湯水の供給を制御するための水栓金具を取付ける部分に隆起部を形成し、前記シャワーヘッドと水栓金具が存在しない前記隆起部の中央または左右の何れかに凹部を形成し、該凹部にシャンプーボトルやトリートメントボトルを収納するトレーを着脱自在に取付け、該トレーの下面側であって前記シャンプーボールの奥側で、かつ、前記トレーによって覆われる位置に排水口を形成したことを特徴とするシャンプーボール装置。
【発明の詳細な説明】
【技術分野】
【０００１】
本発明は、理美容室の床面等に固定状態で設置された固定式のシャンプーボールや、移動式として複数の人が利用可能なシャンプーボールにおいて被洗髪者の毛髪が排水口に引き込まれないようにしたシャンプーボール装置に関する。
【背景技術】
【０００２】
従来におけるシャンプーボールとしては、例えば、特開２００７−１５９６７４号公報に記載された技術がある。この技術はシャンプーボールの中央と左右に隆起部（段部１２）を形成し、該隆起部の中央にシャワーヘッドを、左右に温度調節摘み３と止水摘み４を形成し、前方に被洗髪者の首後ろ部と後頭部を受ける頭部支持装置５が取付けられたものである。
【０００３】
また、特開平９−２８５４０９号に記載された技術は、シャンプーボールの奥側に嵌合凹部５を設け、この嵌合凹部からシャンプーボール内に滞留した湯水を排出すると共に、シャンプーボトルを載置可能としたものである。
【先行技術文献】
【特許文献】
【０００４】
【特許文献１】特開２００７−１５９６７４号公報
【特許文献２】特開平９−２８５４０９号公報
【発明の概要】
【発明が解決しようとする課題】
【０００５】
ところで、前記した２つの公知文献にあっては、排水口がシャンプーボールの中央に配置されていることで、被洗髪者をシャンプーボールに正対させ、かつ、前屈みで洗髪を行なう場合に、排水口が見えるため排水口に溜まった切れ毛や汚れが見えて、被洗髪者に対して視覚的な見苦しさを与えることがあった。
また、被洗髪者の頭部と排水口の位置が近いため排水口に溜まった毛髪や汚れによる臭気によって不快感を与えるといった問題があった。
【０００６】
また、バックシャンプーによって被洗髪者（特にロングヘアー）の毛髪の洗髪を行なう場合、特に排水口の清掃を怠った場合に毛髪の先端が排水口の汚れに触れてしまう可能性があるといった問題があった。
【０００７】
本発明は前記した問題点を解決せんとするもので、その目的とするところは、被洗髪者が前屈みで洗髪を受ける時に排水口がトレーによって見えないようにしたので視覚的な見苦しさを与えることがなく、また、排水口をシャンプーボールの奥側に形成したので、被洗髪者から排水口までの距離が長くなって排水口の清掃を怠った場合に、臭気によって不快感を与えない、また、汚れた排水口に毛髪の先端が触れることが少なくなるシャンプーボール装置を提供せんとするものである。
【課題を解決するための手段】
【０００８】
本発明のシャンプーボールは前記した目的を達成せんとするもので、請求項１の手段は、シャンプーボールの後方にシャワーヘッドと、該シャワーヘッドに湯水の供給を制御するための水栓金具を取付ける部分に隆起部を形成し、前記シャワーヘッドと水栓金具が存在しない前記隆起部の中央または左右の何れかに凹部を形成し、該凹部にシャンプーボトルやトリートメントボトルを収納するトレーを着脱自在に取付け、該トレーの下面側であって前記シャンプーボールの奥側で、かつ、前記トレーによって覆われる位置に排水口を形成したことを特徴とする。
【発明の効果】
【００１４】
本発明は前記したように、シャンプーボールの奥側に左右何れかあるいは左右にシャワーヘッドや止水金具を取付ける隆起部を形成し、該隆起部により形成される凹部に排水口を設けると共に該排水口の上方にシャンプーボトルやトリートメントボトルを収納するためのトレーを載置したことにより、被洗髪者が前屈みで洗髪を受ける時に排水口がトレーによって見えないので視覚的な見苦しさを与えることがなく、また、排水口をシャンプーボールの奥側に形成したので、被洗髪者から排水口までの距離が長くなって排水口の清掃を怠ったことによる臭気によって不快感を与えることもなく、さらに、排水口に毛髪の先端が触れることが少なくなる。
【００１５】
また、トレーの裏面に形成された排水口に上下面を反転することで排水口を閉塞、開放する排水蓋を取付けたことで、シャンプーボール内の湯水を排水あるいは貯留するのにトレーをシャンプーボールから外して排水蓋を上下面反転することで行なえるものである。
【図面の簡単な説明】
【００１７】
【図１】本発明のシャンプーボール装置の第１の実施例を示す斜視図である。
【図２】図１の中央部分の縦断面図である。
【図３】第２の実施例を示す斜視図である。
【図４】図３のトレー部分の縦断面図である。
【発明を実施するための形態】
【００１８】
以下、本発明に係るシャンプーボール装置の第１の実施例を図１，２と共に説明する。
１は理美容室の壁面等に固定されるシャンプーボール、あるいは、公知の移動式のシャンプーボールにして、奥側の左右には隆起部１１が形成され、該隆起部１１の中央には凹部１２が形成されている。そして、前記凹部１２の中央部分には排水口１３が形成されている。なお、１４はバックシャンプー時に被洗髪者の首後ろ部を載せる首支持部である。
【００１９】
２は前記左右に分離された左側の隆起部１１に取付けられたシャワーヘッド、３は上下方向に回動することで前記シャワーヘッド２に湯水を供給したり停止し、また、左右方向に回動することで湯温の温度を調整することが可能な水栓金具である。
【００２０】
４は鍔部４１を前記凹部１２内に形成された突起部１２ａに載せることで凹部に対して着脱自在に取付けることができるトレーにして、該トレー４内にはシャンプー用ボトル５やトリートメント用ボトル６等を収納可能に形成されている。そして、トレー４を凹部内に取付けた状態において、該トレー４の底面は前記排水口１３との間に隙間ができる状態となっている。なお、トレー４の底面には排水孔が形成されており、洗髪時に飛び散る湯水やシャンプー液、トリートメント液の排出が可能なように形成されている。
【００２１】
７は前記排水口１３を閉塞、開口するための排水蓋にして、該排水蓋７の一面側には起立片７１が形成されており、この起立片７１側を排水口１３内に載置すると排水口の開口部より浮いた状態となってシャンプーボール内の湯水を排出でき、また、他面は排水口１３の開口部に載置すると開口部を閉塞することが可能な形状となっている。なお、８はシャンプーすることで被洗髪者から抜けた毛髪を収拾するためのヘアーキャッチャーである。
【００２２】
前記したように排水口１３をシャンプーボール１の奥側に配置し、かつ、排水口１３の開口部はトレー４によって覆われているので、被洗髪者がシャンプーボール１に正対して前屈姿勢で洗髪した時に、被洗髪者からは排水口が眼前に見えないことから、ヘアーキャッチャー８に溜まった切れ毛や排水蓋７に付着した汚れが見えないので、被洗髪者に不快感を与えることがない。
【００２３】
また、排水口をシャンプーボール１の奥側に配置したことで、被洗髪者の頭部から離れた位置となり、従って、バックシャンプー時に被洗髪者の毛髪の先端から排水口までの距離が長くなって排水口の清掃を怠って排水口が汚れているような場合であっても、臭気によって不快感を与えることもなく、また、毛髪の先端が排水口に触れることが少なくなるものである。
【００２４】
また、洗髪時には図２に示す如く排水蓋７の起立片７１を開口部に入れて開口部との間に隙間を形成して湯水を排出するが、シャンプーボール１やトレー４の洗浄時には、トレー４をシャンプーボール１から取り外して前記洗浄を容易に行なうことが可能となる。
【００２５】
次に、図３，４の第２の実施例について説明する。なお、第１の実施例と同一符号は同一部材を示し説明は省略する。
この第２の実施例では、シャンプーボール１の隆起部１１を左右の何れか（図では右側）のみに形成し、この隆起部１１に近接してシャワーヘッド２と水栓金具３を取付け、また、隆起部１１が形成されていない部分に凹部１２を形成したことを特徴とする。
【００２６】
このような構成とすることで、排水口１３は前記した第１の実施例では中央に形成されているのに対し左隅に配置されていることから、被洗髪者からさらに遠くになるため、被洗髪者に与える不快感も少なくなり、かつ、被洗髪者の毛髪が排水口１３に流れ込むことが少なくなるものである。
【００２７】
また、前記した第１の実施例では排水蓋７を反転することで湯水の排水と貯留が行なえようにしたが、この実施例では排水蓋７の一面に排水蓋レバー７２を取付け、一方、トレー４に前記排水蓋レバー７２がある程度の摩擦抵抗を持って挿通可能な孔を有するレバー支持部４２を形成する。そして、排水蓋レバー７２の先端をトレー４の上方に突出させるようにレバー支持部４２に貫通させたものである。なお、７２ａは排水蓋レバー７２の上端に形成された摘み部である。
【００２８】
このような構成とすることで、摘み部７２ａを手で引き上げることで排水蓋７は排水口１３の開口部から離開して湯水の排出が行なえ、また、摘み部７２ａを押し下げることで排水蓋７は排水口１３の開口部を閉塞することで湯水を貯留することができるので、溜めた湯水に薬剤を加えての施術等も可能となる。
従って、前記第１の実施例の如く湯水の排水と貯留をトレー４をシャンプーボールから取り外すことなく簡単に行なうことが可能となる。
【符号の説明】
【００２９】
１          シャンプーボール
１１        隆起部
１２        凹部
１３        排水口
２          シャワーヘッド
３          水栓金具
４          トレー
４２        レバー支持部
５          シャンプーボトル
６          トリートメントボトル
７          排水蓋
７１        起立片
７２        排水蓋レバー
８          ヘアーキャッチャー
【図１】
0005417635.tif 000002
【図２】
0005417635.tif 000003
【図３】
0005417635.tif 000004
【図４】
0005417635.tif 000005